(57)【特許請求の範囲】
【請求項１】
電子音楽配信においてダウンロードしたコンテンツをバックアップする装置であって、電子音楽配信コンテンツを蓄積するコンテンツサーバと、バックアップするときのコンテンツリストと日時情報を記録しかつバックアップコンテンツの復元要請があるとき前記コンテンツサーバから前記コンテンツリスト対象となる楽曲を選択しパソコンにダウンロードするバックアップコントローラと、前記バックアップコントローラとインターネットあるいは専用回線で双方向通信し前記パソコン全体を制御するコントローラと、前記コントローラの制御にもとづきコンテンツダウンロード、購入手続き、音楽再生などの電子音楽配信に関する処理をするＥＭＤ処理器と、電子音楽配信でダウンロードしたコンテンツをバックアップするとき前記コントローラを通して前記バックアップコントローラへ前記日時情報と前記コンテンツリストをアップロードしバックアップに関する処理をするバックアップ処理器と、前記バックアップ処理器により電子音楽配信でダウンロードしたコンテンツを所定の第１の時点にバックアップあるいは復元する第１のバックアップ装置と、前記バックアップ処理器により電子音楽配信でダウンロードしたコンテンツを所定の第２の時点にバックアップあるいは復元する第２のバックアップ装置と、前記第１及び第２のバックアップ装置にバックアップするときに第１及び第２のバックアップ装置それぞれ固有な第１のバックアップ鍵と第２のバックアップ鍵を生成するバックアップ鍵生成器と、前記第１のバックアップ装置から前記第１のバックアップ鍵により復号しコンテンツを復元するときにパソコンのコンテンツを前記第２のバックアップ鍵で暗号化し前記第２のバックアップ装置にバックアップし前記第１のバックアップ装置からの復元が問題なく成功する場合には前記第２のバックアップ装置のバックアップを消去し前記第１のバックアップ装置からの復元が失敗する場合には前記第２のバックアップ装置から第２のバックアップ鍵で復号し前記第２の時点にコンテンツを復元するバックアップ装置制御器と、を備えたコンテンツバックアップ装置。
【発明の詳細な説明】
【０００１】
【発明が属する技術分野】
本発明は、電子音楽配信（EMD = Electronic Music Distribution）においてダウンロードしたコンテンツをバックアップするコンテンツバックアップ装置に関するものである。
【０００２】
【従来の技術】
以下に、従来のコンテンツバックアップ装置について説明する。
【０００３】
図５は従来のコンテンツバックアップ装置のブロック図を示すものである。
音楽配信システム５０１は音楽配信を行うセンター側システムである。接続装置５０２を介し、インターネットあるいは専用回線５０３によりユーザパソコン５０９と双方向通信し電子音楽コンテンツの配信を行う。コントローラ５０５は接続装置５０４を介し、インターネットあるいは専用回線５０３で音楽配信システムと双方向通信し電子音楽コンテンツをダウンロードし、かつユーザパソコン５０９全体を制御する。接続装置５０２、５０４は例えば電話モデムである。ＥＭＤ処理器５０６はコントローラ５０５の制御にもとづきコンテンツダウンロード、購入手続き、音楽再生などの電子音楽配信に関する処理をする。バックアップ処理器５０７は、電子音楽配信でダウンロードしたコンテンツをユーザがバックアップ装置５０８へバックアップするが、このとき同時にコントローラ５０５を通して音楽配信システム５０１へバックアップの日時情報とコンテンツリストをアップロードする。音楽配信システム５０１はバックアップＩＤを発行し、ユーザパソコンはこのバックアップＩＤをダウンロードする。ＥＭＤ処理器はこのバックアップＩＤが音楽配信システム５０１で発行した正規のものである場合、バックアップ装置５０８へのバックアップが初めて可能となる。
【０００４】
【発明が解決しようとする課題】
しかしながら上記従来の構成では、以下のような４つの課題を有していた。
【０００５】
１つ目の課題は、バックアップメディアをユーザが用意し管理しなければならず、バックアップメディアでコンテンツを復元する場合、そのメディアが破損あるいは紛失などが発生すると、復元できないという課題である。
【０００６】
２つ目の課題は、以下のようなものである。ユーザパソコンのハードウェア及びソフトウェア構成を一旦変えてしまうと、既に変更前の構成でダウンロードしたコンテンツを再生できない。これはコンテンツの不正コピーを防止するため、ユーザパソコン特有の構成情報により再生を制限しているものである。しかし、例えばユーザパソコンのＯＳのバージョンアップをしたり、ハードディスク破損により交換することは通常起こりうる回避しがたい状況である。この場合でも構成情報が変わるのでコンテンツを再生することは不可能となり多大の不便さを強いることになるという課題である。
３つ目の課題は、以下のようなものである。ユーザがバックアップメディアからコンテンツを復元するとき、例えばメディアの一部が破損しているためデータを読めないとか、ユーザパソコンの電源が遮断されリブートしてしまうとかの問題が発生すると、コンテンツを復元するどころか、復元前の状態に復帰することもできず、購入ダウンロードしたコンテンツは全て再生不可となってしまうという課題である。
４つ目の課題は、以下のようなものである。ユーザがバックアップするとき、インターネットあるいは専用回線経由で音楽配信システムへユーザＩＤ及び日時情報をアップロードし、正規のユーザのバックアップと音楽配信システムに認められなければバックアップをできない。バックアップを実施する間隔が通常より非常に短い、あるいはバックアップ回数が非常に多いというような情報をもとに、不正バックアップを防止するための処置であるが、バックアップするときにインタネットあるいは専用回線を介して音楽配信システムと双方向通信する手間と接続費用が発生し、ユーザに多大の不便さを強いることになるという課題である。本発明は上記従来の課題を解決するもので、１つ目の課題に対しては、ユーザがバックアップメディアを用意し、管理する必要がないコンテンツバックアップ装置を提供し、２つ目の課題に対しては、ユーザパソコンのハードウェア及びソフトウェア構成を変えてもダウンロードしたコンテンツを再生できるコンテンツバックアップ装置を提供し、３つ目の課題に対しては、ユーザがバックアップメディアからコンテンツを復元するとき事故が発生してもバックアップ開始前の状態に復元できるコンテンツバックアップ装置を提供し、４つ目の課題に対しては、ユーザがバックアップするとき、インターネットあるいは専用回線経由で音楽配信システムへユーザＩＤ及び日時情報をアップロードする必要がないコンテンツバックアップ装置を提供することを目的とする。
【０００７】
【課題を解決するための手段】
この目的を達成するために第１の発明のコンテンツバックアップ装置は、バックアップするときのコンテンツリストと日時情報を記録しかつバックアップコンテンツの復元要請があるときコンテンツサーバからコンテンツリスト対象となる楽曲を選択しパソコンにダウンロードするバックアップコントローラと、バックアップコントローラとインターネットあるいは専用回線で双方向通信しユーザのパソコン全体を制御するコントローラと、コントローラの制御にもとづきコンテンツダウンロード、購入手続き、音楽再生などの電子音楽配信に関する処理をするＥＭＤ処理器と、電子音楽配信でダウンロードしたコンテンツをバックアップするときコントローラを通してバックアップコントローラへ日時情報とコンテンツリストをアップロードするなどのバックアップに関する処理をするバックアップ処理器と、電子音楽配信でダウンロードしたコンテンツをリストアップし前記コンテンツリストを生成するコンテンツリスト生成器とを備えている。
【０００８】
第１の発明は上記した構成により、以下のような作用がある。コンテンツリスト生成器は、電子音楽配信でダウンロードしたコンテンツをリストアップしコンテンツリストを生成し、バックアップ処理器はコンテンツをバックアップするときコントローラを通してバックアップコントローラへ日時情報とコンテンツリストをアップロードする。コンテンツは音楽配信システムの一部としてコンテンツサーバに蓄積しているので、そのコンテンツサーバからコンテンツリストにもとづき楽曲を選択し、ユーザパソコンへダウンロードするだけでバックアップコンテンツの復元ができる。従って、ユーザはバックアップメディアを用意することなく、コンテンツリストをバックアップコントローラへアップロードし、コンテンツがダウンロードされるのを待つだけで復元が完了するという作用である。
【０００９】
第２の発明のコンテンツバックアップ装置は、電子音楽配信コンテンツを蓄積するコンテンツサーバと、第１のパソコンのコンテンツをバックアップするときのコンテンツリストと日時情報と第１のユーザ鍵を記録しかつバックアップコンテンツの復元要請があるときコンテンツサーバからコンテンツリスト対象となる楽曲を選択し第２のユーザ鍵で楽曲を暗号化し第２のパソコンにダウンロードするバックアップコントローラと、バックアップコントローラとインターネットあるいは専用回線で双方向通信し第１のパソコン全体を制御する第１のコントローラと、第１のコントローラの制御にもとづきコンテンツダウンロード、購入手続き、音楽再生などの電子音楽配信に関する処理をする第１のＥＭＤ処理器と、電子音楽配信でダウンロードしたコンテンツをバックアップするとき第１のコントローラを通してバックアップコントローラへ日時情報とコンテンツリストをアップロードするなどのバックアップに関する処理をする第１のバックアップ処理器と、電子音楽配信でダウンロードしたコンテンツをリストアップしコンテンツリストを生成する第１のコンテンツリスト生成器と、第１のパソコンに特有な第１のユーザ鍵を生成する第１のユーザ鍵生成器と、バックアップコントローラとインターネットあるいは専用回線で双方向通信し第２のパソコン全体を制御する第２のコントローラと、第２のコントローラの制御にもとづきダウンロード、購入手続き、音楽再生などの電子音楽配信に関する処理をする第２のＥＭＤ処理器と、電子音楽配信で第１のパソコンにダウンロードしたコンテンツを第２のパソコンにダウンロードし復元処理をする第２のバックアップ処理器と、第２のパソコンに特有な第２のユーザ鍵を生成する第２のユーザ鍵生成器とを備えている。
【００１０】
第２の発明は上記した構成により、以下のような作用がある。バックアップコントローラは第１のパソコンで生成する第１のユーザ鍵を記録し、かつユーザからバックアップコンテンツの復元要請があるときコンテンツサーバからコンテンツリスト対象となる楽曲を選択し、第２のパソコンで生成する第２のユーザ鍵で楽曲を暗号化し第２のパソコンにダウンロードするので、ユーザは第２のパソコンでもダウンロード済みコンテンツを再生可能となるという作用である。
【００１１】
第３の発明のコンテンツバックアップ装置は、電子音楽配信コンテンツを蓄積するコンテンツサーバと、バックアップするときのコンテンツリストと日時情報を記録しかつバックアップコンテンツの復元要請があるときコンテンツサーバからコンテンツリスト対象となる楽曲を選択しパソコンにダウンロードするバックアップコントローラと、バックアップコントローラとインターネットあるいは専用回線で双方向通信しパソコン全体を制御するコントローラと、コントローラの制御にもとづきコンテンツダウンロード、購入手続き、音楽再生などの電子音楽配信に関する処理をするＥＭＤ処理器と、電子音楽配信でダウンロードしたコンテンツをバックアップするときコントローラを通してバックアップコントローラへ日時情報とコンテンツリストをアップロードするなどのバックアップに関する処理をするバックアップ処理器と、バックアップ処理器により電子音楽配信でダウンロードしたコンテンツを所定の第１の時点にバックアップあるいは復元する第１のバックアップ装置と、バックアップ処理器により電子音楽配信でダウンロードしたコンテンツを所定の第２の時点にバックアップあるいは復元する第２のバックアップ装置と、第１及び第２のバックアップ装置にバックアップするときに第１及び第２のバックアップ装置それぞれ固有な第１のバックアップ鍵と第２のバックアップ鍵を生成するバックアップ鍵生成器と、第１のバックアップ装置から第１のバックアップ鍵により復号しコンテンツを復元するときにパソコンのコンテンツを第２のバックアップ鍵で暗号化し第２のバックアップ装置にバックアップし第１のバックアップ装置からの復元が問題なく成功する場合には第２のバックアップ装置のバックアップを消去し第１のバックアップ装置からの復元が失敗する場合には第２のバックアップ装置から第２のバックアップ鍵で復号し第２の時点にコンテンツを復元するバックアップ装置制御器とを備えている。
【００１２】
第３の発明は上記した構成により、以下のような作用がある。バックアップ装置制御器は、第１のバックアップ装置から第１のバックアップ鍵により復号しコンテンツを復元するときに、パソコンのコンテンツを第２のバックアップ鍵で暗号化し前記第２のバックアップ装置にバックアップし、第１のバックアップ装置からの復元が問題なく成功する場合には、第２のバックアップ装置のバックアップを消去し第１のバックアップ装置からの復元が失敗する場合には、第２のバックアップ装置から第２のバックアップ鍵で復号し第２の時点にコンテンツを復元する。このように、ユーザがバックアップメディアからコンテンツを復元するとき事故が発生してもバックアップ開始前の状態に復元できるという作用である。
【００１３】
第４の発明のコンテンツバックアップ装置は、インターネットあるいは専用回線で音楽配信システムと双方向通信しパソコン全体を制御するコントローラと、コントローラの制御にもとづきコンテンツダウンロード、購入手続き、音楽再生などの電子音楽配信に関する処理をするＥＭＤ処理器と、電子音楽配信でダウンロードしたコンテンツをバックアップする毎パソコンの時計が出力する日時情報を記録し所定の回数以上あるいは所定の時間間隔以下でバックアップ要求がある場合バックアップ装置へのバックアップを不可とするバックアップ処理器と、バックアップ処理器により電子音楽配信でダウンロードしたコンテンツをバックアップ鍵により暗号化しバックアップするあるいはバックアップ鍵により復号し復元するバックアップ装置と、バックアップ装置にバックアップするときにバックアップ装置に固有なバックアップ鍵を生成するバックアップ鍵生成器と、テレビ電波より標準時刻を受信しパソコンの時計をその時刻にセットするチューナと、チューナにより標準時刻にセットされかつユーザにより時刻を変更できないようにし日時情報を出力る時計とを備えている。
第４の発明は上記した構成により、以下のような作用がある。バックアップ処理器は、電子音楽配信でダウンロードしたコンテンツをバックアップする毎パソコンの時計が出力する日時情報を記録し所定の回数以上あるいは所定の時間間隔以下でバックアップ要求がある場合バックアップ装置へのバックアップを不可とする。バックアップ処理器は、電子音楽配信でダウンロードしたコンテンツをバックアップ鍵生成器で生成するバックアップ鍵により暗号化しバックアップするあるいはバックアップ鍵により復号し復元する。チューナはテレビ電波より標準時刻を受信しパソコンの時計をその時刻にセットし、時計はユーザにより時刻を変更できないものとする。よってユーザがバックアップする毎にインターネットあるいは専用回線で音楽配信システムへ日時情報等をアップロードする必要がなく、ネットワーク接続が困難な場合でもバックアップ可能という作用である。
【００１４】
【発明の実施の形態】
以下、本発明におけるコンテンツバックアップ装置の一実施例について、図面を参照しながら説明する。
図１は第１の発明の一実施例におけるコンテンツバックアップ装置の構成を示すブロック図である。ただし図５に示した従来のコンテンツバックアップ装置と同じ構成要素には同一符号を付し、またその動作説明は省略する。コンテンツリスト生成器１０３は、電子音楽配信でダウンロードしたコンテンツをリストアップしコンテンツリストを生成する。バックアップ処理器５０７はコンテンツをバックアップするときコントローラを通してバックアップコントローラ１０２へ日時情報とコンテンツリストをアップロードする。コンテンツは音楽配信システムの一部としてコンテンツサーバ１０１に蓄積しているので、そのコンテンツサーバ１０１からコンテンツリストにもとづき楽曲を選択し、ユーザパソコン１０４へダウンロードするだけでバックアップコンテンツの復元を完了する。
図２は第２の発明の一実施例におけるコンテンツバックアップ装置の構成を示すブロック図である。ただし図５に示した従来のコンテンツバックアップ装置、及び図１に示した第１の発明の実施例と同じ構成要素には同一符号を付し、またその動作説明は省略する。バックアップコントローラ１０２は第１のユーザパソコン２０３内のユーザ鍵生成器２０１で生成する第１のユーザ鍵を記録し、かつユーザからバックアップコンテンツの復元要請があるときコンテンツサーバ１０１からコンテンツリスト対象となる楽曲を選択し、第２のユーザパソコン２０４内のユーザ鍵生成器２０２で生成する第２のユーザ鍵で楽曲を暗号化し第２のパソコン２０４にダウンロードする。
なお、図１、図２の実施例においてユーザパソコン１０４、２０３、及び２０４へはオンラインのダウンロードだけでなく、ＣＤ−Ｒ等に蓄積しオフラインでユーザへ送付し、ユーザがそのＣＤ−Ｒからバックアップの復元をする手段もとることができる。
図３は第３の発明の一実施例におけるコンテンツバックアップ装置の構成を示すブロック図である。ただし図５に示した従来のコンテンツバックアップ装置、図１に示した第１の発明の実施例、及び図２に示した第２の実施例と同じ構成要素には同一符号を付し、またその動作説明は省略する。バックアップ装置制御器３０４は、第１のバックアップ装置３０１からバックアップ鍵生成器３０３で生成する第１のバックアップ鍵により復号しコンテンツを復元するときに、ユーザパソコン３０５のコンテンツをバックアップ鍵生成器３０３で生成する第２のバックアップ鍵で暗号化し第２のバックアップ装置３０２にバックアップし、第１のバックアップ装置３０１からの復元が問題なく成功する場合には、第２のバックアップ装置３０２のバックアップを消去し第１のバックアップ装置３０１からの復元が失敗する場合には、第２のバックアップ装置３０２から第２のバックアップ鍵で復号し第２の時点にコンテンツを復元する。
【００１５】
図４は第４の発明の一実施例におけるコンテンツバックアップ装置の構成を示すブロック図である。ただし図５に示した従来のコンテンツバックアップ装置、図１に示した第１の発明の実施例、図２に示した第２の実施例、及び図３に示した第３の実施例と同じ構成要素には同一符号を付し、またその動作説明は省略する。バックアップ処理器４０１は、電子音楽配信でダウンロードしたコンテンツをバックアップする毎ユーザパソコン４０６の時計４０５が出力する日時情報を記録し所定の回数以上あるいは所定の時間間隔以下でバックアップ要求がある場合バックアップ装置４０２へのバックアップを不可とする。バックアップ処理器４０１は、電子音楽配信でダウンロードしたコンテンツをバックアップ鍵生成器４０３で生成するバックアップ鍵により暗号化しバックアップするあるいはバックアップ鍵により復号し復元する。チューナ４０４はテレビ電波より標準時刻を受信しパソコンの時計４０５をその時刻にセットし、時計４０５はユーザにより時刻を変更できないものとする。
【００１６】
【発明の効果】
以上のように第１の発明は以下のような効果がある。コンテンツリスト生成器１０３は、電子音楽配信でダウンロードしたコンテンツをリストアップしコンテンツリストを生成する。バックアップ処理器５０７はコンテンツをバックアップするときコントローラを通してバックアップコントローラ１０２へ日時情報とコンテンツリストをアップロードする。コンテンツは音楽配信システムの一部としてコンテンツサーバ１０１に蓄積しているので、そのコンテンツサーバ１０１からコンテンツリストにもとづき楽曲を選択し、ユーザパソコン１０４へダウンロードするだけでバックアップコンテンツの復元を完了する。従って、ユーザはバックアップメディアを用意することなく、コンテンツリストをバックアップコントローラへアップロードし、コンテンツがダウンロードされるのを待つだけで復元が完了するという効果である。
第２の発明は、以下のような効果がある。バックアップコントローラ１０２は第１のユーザパソコン２０３内のユーザ鍵生成器２０１で生成する第１のユーザ鍵を記録し、かつユーザからバックアップコンテンツの復元要請があるときコンテンツサーバ１０１からコンテンツリスト対象となる楽曲を選択し、第２のユーザパソコン２０４内のユーザ鍵生成器２０２で生成する第２のユーザ鍵で楽曲を暗号化し第２のユーザパソコン２０４にダウンロードするので、ユーザは第２のユーザパソコン２０４でもダウンロード済みコンテンツを再生可能となるという効果である。ちなみに、不正なコピーを防止するため、一旦、第２のユーザパソコン２０４でバックアップコンテンツを復元した後は、第１のユーザパソコン２０３のコンテンツバックアップ及び復元は禁止されるべきものである。
【００１７】
第３の発明は、以下のような効果がある。バックアップ装置制御器３０４は、第１のバックアップ装置３０１からバックアップ鍵生成器３０３で生成する第１のバックアップ鍵により復号しコンテンツを復元するときに、ユーザパソコン３０６のコンテンツをバックアップ鍵生成器３０３で生成する第２のバックアップ鍵で暗号化し第２のバックアップ装置３０２にバックアップし、第１のバックアップ装置３０１からの復元が問題なく成功する場合には、第２のバックアップ装置３０２のバックアップを消去し第１のバックアップ装置３０１からの復元が失敗する場合には、第２のバックアップ装置３０２から第２のバックアップ鍵で復号し第２の時点にコンテンツを復元する。このように、ユーザがバックアップメディアからコンテンツを復元するとき事故が発生してもバックアップ開始前の状態に復元できるという効果である。
【００１８】
第４の発明は、以下のような効果がある。バックアップ処理器４０１は、電子音楽配信でダウンロードしたコンテンツをバックアップする毎ユーザパソコン４０６の時計４０５が出力する日時情報を記録し所定の回数以上あるいは所定の時間間隔以下でバックアップ要求がある場合バックアップ装置４０２へのバックアップを不可とする。バックアップ処理器４０１は、電子音楽配信でダウンロードしたコンテンツをバックアップ鍵生成器４０３で生成するバックアップ鍵により暗号化しバックアップする、あるいはバックアップ鍵により復号し復元する。チューナ４０４はテレビ電波より標準時刻を受信しパソコンの時計４０５をその時刻にセットし、時計４０５はユーザにより時刻を変更できないものとする。よってユーザがバックアップする毎にインターネットあるいは専用回線５０３で音楽配信システム５０１へ日時情報等をアップロードする必要がなく、ネットワーク接続が困難な場合でもバックアップ可能という効果である。ちなみに、時計４０５は常に標準日時情報を出力し、それにもとづきバックアップが可であるか不可であるかユーザの意志とは無関係に判断できるので不正バックアップを防止するという効果も併せもつ。
【００１９】
このように、第１の発明、第２の発明、第３の発明、及び第４の発明によればコンテンツバックアップ装置を具現化する際、ユーザのバックアップ作業負担を軽減し、かつバックアップメディア破損等による問題を回避する、コンテンツバックアップ装置を提供できるので、工業的価値は極めて大きい。
【図面の簡単な説明】
【図１】第１の発明における一実施例のコンテンツバックアップ装置の構成を示すブロック図
【図２】第２の発明における一実施例のコンテンツバックアップ装置の構成を示すブロック図
【図３】第３の発明における一実施例のコンテンツバックアップ装置の構成を示すブロック図
【図４】第３の発明における一実施例のコンテンツバックアップ装置の構成を示すブロック図
【図５】従来のコンテンツバックアップ装置の構成を示すブロック図
【符号の説明】
１０１ コンテンツサーバ
１０２、３０５ バックアップコントローラ
２０１、２０２ ユーザ鍵生成器
３０１、３０２、４０１、４０２ バックアップ装置
３０３、４０３ バックアップ鍵生成器
３０４ バックアップ装置制御器
４０４ チューナ
４０５ 時計
【図１】
0004423817.tif 000002
【図２】
0004423817.tif 000003
【図３】
0004423817.tif 000004
【図４】
0004423817.tif 000005
【図５】
0004423817.tif 000006